(57)【要約】【課題】  改修枠の設置時の調整が容易な改修戸を提供する。【解決手段】  既存枠の内周側に設置するものであって、改修枠と、改修枠の内部に設けた仮固定ネジを備え、仮固定ネジは、改修枠の内周側から操作可能であって外周側面から突没自在であり、仮固定ネジが既存枠に当接して突っ張ることで、既存枠に対して改修枠を固定するものである。【選択図】      図１
2018115523.tif 000002
【特許請求の範囲】
【請求項１】
既存枠の内周側に設置するものであって、改修枠と、改修枠の内部に設けた仮固定ネジを備え、仮固定ネジは、改修枠の内周側から操作可能であって外周側面から突没自在であり、仮固定ネジが既存枠に当接して突っ張ることで、既存枠に対して改修枠を固定するものであることを特徴とする改修戸。
【発明の詳細な説明】
【技術分野】
【０００１】
本発明は、既存枠の内周側に設置するリフォーム用の改修戸に関する。
【背景技術】
【０００２】
リフォーム用の玄関ドアにおいては、非特許文献１に示すように、既存枠の内周側に、四周に組んだ改修枠を設置する。この際、仮固定することなく、改修枠の対角寸法やねじれを調整した上で、既存枠に固定していた。
【先行技術文献】
【非特許文献】
【０００３】
【非特許文献１】「リフォーム玄関ドアラフォースＲ２施工要領書（ＨＷ１３９５Ｂ）」、三協立山アルミ株式会社、２０１０年１１月、ｐ．１７−１８
【発明の概要】
【発明が解決しようとする課題】
【０００４】
しかしながら、このような従来のリフォーム用玄関ドアの施工においては、改修枠が倒れないように手で押さえながら、改修枠の対角寸法やねじれを調整して、既存枠にネジ止めしなければならず、施工性が良くなかった。
【０００５】
本発明は、上記事情を鑑みたものであり、改修枠の設置時の調整が容易な改修戸を提供することを目的とする。
【課題を解決するための手段】
【０００６】
本発明は、既存枠の内周側に設置するものであって、改修枠と、改修枠の内部に設けた仮固定ネジを備え、仮固定ネジは、改修枠の内周側から操作可能であって外周側面から突没自在であり、仮固定ネジが既存枠に当接して突っ張ることで、既存枠に対して改修枠を固定するものであることを特徴とする。
【発明の効果】
【０００７】
本発明によれば、仮固定ネジによって、既存枠に対して改修枠を固定でき、改修枠が倒れることがないので、改修枠の対角寸法やねじれの調整の際に改修枠を手で押さえる必要がない。また、既存枠へのネジ止めも容易に行えるので、施工性が良好である。
【図面の簡単な説明】
【０００８】
【図１】改修戸の縦断面図である。
【図２】改修戸の正面図である。
【図３】（ａ）〜（ｄ）は改修戸の施工手順図である。
【発明を実施するための形態】
【０００９】
以下、本発明の実施の形態を図面に基づいて説明する。この改修戸は、リフォーム用の玄関ドアとして用いられるものであり、既存のドアを取り外して残った既存枠の内周側に取り付けられるものである。なお、以下において、左右とは、改修戸を室内側から見た場合の左右（図２における左右）を示すものとする。
【００１０】
図１に示すように、既存枠５０は、既存上枠５と、既存下枠５０１と、左右の既存縦枠を四周組んだものであり、躯体開口部の内周側に取り付けてある。特に、既存上枠５は、見込面５１と、見込面５１の室内側端部から下側に向けて延びる垂直面５２を備え、垂直面５２の下端の室外側面に、タイト材ホルダ５３を形成してある。このタイト材ホルダ５３は、既存のドアに当接するタイト材を取り付けるためのものであるが、改修戸を取り付けるに際して、タイト材は取り外してある。
【００１１】
そして、この既存枠５０の内周側に、本発明の改修戸を取り付けてある。図１及び図２に示すように、改修戸は、改修枠１０と、改修枠１０の内周側に納める戸１００を備えている。
【００１２】
改修枠１０は、改修上枠１と、改修下枠１０１と、左右の改修縦枠１０２を四周組んだものである。特に、改修上枠１は、断面略矩形の室外側部材１１と、断面略コ字形で室外側に向けて開口する室内側部材１２を有し、室外側部材１１と室内側部材１２の間に上下２つの断熱材１３を挟んである。また、室内側部材１２の室外側端部の下面から下側に向けての延びる垂直面１４を備え、垂直面１４の下端の室外側面に、タイト材ホルダ１５を形成してある。このタイト材ホルダ１５には、戸１００が当接するタイト材を取り付ける。よって、タイト材ホルダ１５の位置が、改修枠１０の気密ラインとなる。このように形成した改修上枠１は、室内側部材１２の上側面を、既存上枠５の見込面５１にスペーサ６ａを挟んで当接させ、室内側部材１２の室内側面を、既存上枠５のタイト材ホルダ５３にスペーサ６ｂを挟んで当接させてある。なお、これらのスペーサ６ａ，６ｂは、改修上枠１の全長にわたって設けるものではなく、１箇所又は複数箇所に間隔を空けて設けてある。また、改修下枠１０１及び改修縦枠１０２も、同様にして既存下枠５０１及び既存縦枠に当接させてある。
【００１３】
そして、このように既存枠５０の内周側に納めた改修枠１０を、仮固定ネジ２により仮固定し、さらに本固定ネジ４により本固定してある。仮固定ネジ２は、改修上枠１の内部の、左右の両端部（長手方向両端部）に設けてあり、改修上枠１の室内側部材１２の上側面に形成したネジ孔に下側（内周側）から螺合している。よって、仮固定ネジ２は、改修枠１０の気密ラインより室内側に位置する。また、室内側部材１２の下側面の、仮固定ネジ２に対向する位置には、上下に貫通する操作用孔１６を形成してある。この操作用孔１６に下側（内周側）からドライバーを挿入して、仮固定ネジ２を操作可能であり、仮固定ネジ２の軸部が室内側部材１２の上側面（外周側面）から突没自在となっている。この仮固定ネジ２を改修上枠１の室内側部材１２の上側面から突出させ、仮固定ネジ２の先端が既存上枠５の見込面５１に当接して突っ張ることで、既存枠５０に対して改修枠１０を仮固定してある。なお、仮固定ネジ２が位置する箇所には、スペーサ６ａは設けられていない。また、操作用孔１６は、下側から蓋部材３を嵌め込んで塞いである。
【００１４】
さらに、改修上枠１を、既存上枠５を貫通して躯体に本固定ネジ４でネジ止めしてあり、同様に、改修下枠１０１を、既存下枠５０１を貫通して躯体にネジ止めしてあり、左右の改修縦枠１０２を、既存縦枠を貫通して躯体にネジ止めしてある。なお、図２に示すように、改修上枠１を躯体にネジ止めするための本固定ネジ４は、左右の仮固定ネジ２の、それぞれ改修上枠１の中央側に隣接する位置に設けてある。また、改修上枠１の室内側部材１２の上側面には、本固定ネジ４を通すための下孔を形成してあり、室内側部材１２の下側面の、本固定ネジ４に対向する位置には、上下に貫通する操作用孔１７を形成してある。
【００１５】
次に、図３に基づき、改修戸の施工手順について説明する。なお、図３（ａ）〜（ｃ）は仮固定ネジ２の位置の縦断面図、図３（ｄ）は本固定ネジ４の位置の縦断面図である。まず、既存枠５０から、既存の戸やタイト材などを取り外す。次に、改修上枠１、改修下枠１０１及び左右の改修縦枠１０２を四周組んで、既存枠５０の内周側に嵌め込む（図３（ａ））。この際、改修下枠１０１のたわみ防止のため、改修下枠１０１と既存下枠５０１の間にスペーサを挟む。また、改修上枠１の室内側面と既存上枠５のタイト材ホルダ５３の間にスペーサ６ｂを挟み、同様に、改修下枠１０１及び改修縦枠１０２の室内側面と既存下枠５０１及び既存縦枠の間にも、必要に応じてスペーサを挟む。また、当初より、改修上枠１の内部には仮固定ネジ２を備えてあり、操作用孔１６には、蓋部材３を嵌め込んであるので、この蓋部材３を取り外す。次に、操作用孔１６に下側（内周側）からドライバーＤを挿入して仮固定ネジ２を操作し、改修上枠１の室内側部材１２の上側面（外周側面）から突出させる。そして、仮固定ネジ２の先端を既存上枠５の見込面５１に当接させ、既存枠５０に突っ張らせることで、改修枠１０を仮固定する（図３（ｂ））。この状態で、改修枠１０の対角寸法やねじれを確認し、問題があれば、仮固定ネジ２を緩め、改修上枠１を動かして調整し、再度仮固定ネジ２を締めて仮固定する。次に、調整が完了したら、仮固定ネジ２の操作用孔１６に蓋部材３を嵌め込み、仮固定ネジ２を覆い隠すとともに、改修上枠１の上側面と既存上枠５の見込面５１の間にスペーサ６ａを挿入し（図３（ｃ））、また改修縦枠１０２と既存縦枠の間にも必要に応じてスペーサを挿入する。次に、改修上枠１の室内側部材１２の、本固定ネジ４の操作用孔１７及び下孔を通して、既存上枠５の見込面５１に下孔を形成する。そして、下側から本固定ネジ４を挿入し、既存上枠５を貫通して、改修上枠１を躯体にネジ止めして本固定し（図３（ｄ））、操作用孔１７に蓋部材を嵌め込み、本固定ネジ４を覆い隠す。同様に、改修縦枠１０２及び改修下枠１０１も本固定し、必要箇所にシーリングを施し、改修枠１０の内周側に新たな戸を納めて、改修戸の施工が完了する。
【００１６】
このように構成した本発明の改修戸によれば、仮固定ネジ２によって、既存枠５０に対して改修枠１０を仮固定でき、改修枠１０が倒れることがないので、改修枠１０の対角寸法やねじれを調整する際に改修枠１０を手で押さえる必要がない。また、既存枠５０へのネジ止めも容易に行えるので、施工性が良好である。また、仮固定ネジ２が、改修上枠１の気密ライン（タイト材ホルダ１５）よりも室内側に設けてあるので、仮固定時に改修枠１０が室外側に倒れにくく、また仮固定ネジ２が改修枠１０の気密性・水密性を損なうことがない。さらに、仮固定ネジ２が改修上枠１の長手方向両端部に設けてあるので、安定して仮固定することができ、また本固定ネジ４が仮固定ネジ２に隣接して設けてあるので、仮固定ネジ２による仮固定後、本固定ネジ４により本固定する際に、改修枠１０がたわむことがない。また、改修枠１０の設置前の状態において、仮固定ネジ２の操作用孔１６に下側から蓋部材３を嵌め込んで塞いであるので、仮固定ネジ２が搬送中などに脱落しない。
【００１７】
本発明は、上記の実施形態に限定されない。たとえば、仮固定ネジは、改修上枠ではなく、改修下枠や改修縦枠に設けてもよい。また、仮固定ネジ及び本固定ネジの位置や本数は、改修枠の長さや形状に応じて適宜変更できる。さらに、本発明は、玄関ドアに限らず、種々の戸に適用できる。
【符号の説明】
【００１８】
２  仮固定ネジ
１０  改修枠
【図１】
2018115523.tif 000003
【図２】
2018115523.tif 000004
【図３】
2018115523.tif 000005